(57)【要約】  本発明のテレビジョン受像機（１０）は、コンテンツのジャンルを特定するジャンル特定部（４３）と、当該コンテンツを、特定されたジャンルに応じて予め設定されている画質パラメータで補正してから表示する映像処理部（１９）と、コンテンツの表示中に画質パラメータの値を調整するための調整項目を表示する表示制御部（２１）と、ユーザによる入力に基づき、画質パラメータの値を調整するパラメータ値調整部（４１）と、特定されたジャンルが他のジャンルに切り替わったとき、画質パラメータの値を切り替わった後のジャンルに対応付けて予め設定されている値に変更するパラメータ値変更部（４２）とを備え、パラメータ値変更部（４２）は、調整項目の表示の有無に応じて異なる時間で、上記画質パラメータの値を変更する。
2011052589.tif 000002
【特許請求の範囲】
【請求項１】
コンテンツを受信して表示する装置であって、
上記コンテンツのジャンルが、複数の互いに異なる種類のジャンルのうちいずれであるかを特定するジャンル特定手段と、
上記コンテンツを、特定された上記ジャンルに応じて予め設定されている、当該ジャンルに応じた画質を表す画質パラメータで補正してから表示するコンテンツ表示手段と、
上記コンテンツの表示中に、上記複数のジャンルのうちいずれかのジャンルに応じた画質を表す画質パラメータの値を調整するための調整項目を表示する調整項目表示手段と、
表示された上記調整項目に対するユーザによる入力に基づき、当該調整項目に対応する上記画質パラメータの値を調整するパラメータ値調整手段と、
上記特定手段によって特定されるジャンルが、上記複数のジャンルのうちいずれかのジャンルから、当該ジャンルとは異なる他のジャンルに切り替わったとき、上記コンテンツ表示手段が上記コンテンツを補正する際に用いる上記画質パラメータの値を、切り替わる前のジャンルに対応付けて設定されている値から、切り替わった後のジャンルに対応付けて予め設定されている値に変更するパラメータ値変更手段とを備え、
上記パラメータ値変更手段は、上記調整項目の表示の有無に応じて異なる時間で、上記画質パラメータの値を変更することを特徴とする表示装置。
【請求項２】
上記パラメータ値変更手段は、上記調整項目の非表示中には、上記画質パラメータの値を段階的に変更すると共に、上記調整項目の表示中には、上記画質パラメータの値を即座に変更することを特徴とする請求項１に記載の表示装置。
【請求項３】
上記パラメータ値調整手段は、表示中の上記コンテンツのジャンルと、上記調整項目に対応するジャンルとが一致するとき、上記画質パラメータの値の調整を受付けることを特徴とする請求項１または２に記載の表示装置。
【請求項４】
表示中の上記コンテンツのジャンルと、上記調整項目に対応するジャンルとが異なるとき、それぞれの上記ジャンルが異なることを説明する説明情報を表示する説明情報表示手段をさらに備えることを特徴とする請求項１から３のいずれか１項に記載の表示装置。
【請求項５】
上記コンテンツを表す画像を所定のアスペクト比で拡大および縮小させるスケーリング手段をさらに備え、
上記説明情報表示手段は、上記スケーリング手段により上記画像が縮小されることによって生じた画面上の余白に上記説明情報を表示することを特徴とする請求項４に記載の表示装置。
【請求項６】
上記複数のジャンルのそれぞれと、上記画質パラメータの値とを対応付けて記憶する記憶手段をさらに備えることを特徴とする請求項１から５のいずれか１項に記載の表示装置。
【請求項７】
上記コンテンツ表示手段は、上記コンテンツを液晶ディスプレイ、プラズマディスプレイまたはＥＬ（エレクトロルミネセンス）ディスプレイに表示させることを特徴とする請求項１から６のいずれか１項に記載の表示装置。
【請求項８】
コンテンツを受信して表示する装置の制御方法であって、
上記コンテンツのジャンルが、複数の互いに異なる種類のジャンルのうちいずれであるかを特定するジャンル特定ステップと、
上記コンテンツを、上記ジャンル特定ステップにおいて特定された上記ジャンルに応じて予め設定されている、当該ジャンルに応じた画質を表す画質パラメータで補正してから表示するコンテンツ表示ステップと、
上記コンテンツ表示ステップにおいて上記コンテンツの表示中に、上記複数のジャンルのうちいずれかのジャンルに応じた画質を表す画質パラメータの値を調整するための調整項目を表示する調整項目表示ステップと、
上記調整項目表示ステップにおいて表示された上記調整項目に対するユーザによる入力に基づき、当該調整項目に対応する上記画質パラメータの値を調整するパラメータ値調整ステップと、
上記特定ステップにおいて特定されるジャンルが、上記複数のジャンルのうちいずれかのジャンルから、当該ジャンルとは異なる他のジャンルに切り替わったとき、上記コンテンツ表示ステップにおいて上記コンテンツを補正する際に用いる上記画質パラメータの値を、切り替わる前のジャンルに対応付けて設定されている値から、切り替わった後のジャンルに対応付けて予め設定されている値に変更するパラメータ値変更ステップとを包含し、
上記パラメータ値変更ステップでは、上記調整項目の表示の有無に応じて異なる時間で、上記画質パラメータの値を変更することを特徴とする制御方法。
【請求項９】
請求項１から７のいずれか１項に記載の表示装置を動作させるためのプログラムであって、コンピュータを上記各手段として機能させるためのプログラム。
【請求項１０】
請求項９に記載のプログラムを記録しているコンピュータ読み取り可能な記録媒体。 
【発明の詳細な説明】
【技術分野】
【０００１】
本発明は、表示装置、当該表示装置の制御方法、プログラムおよびプログラムが記録されたコンピュータ読み取り可能な記録媒体に関し、より具体的には、コンテンツのジャンルに応じて画質パラメータを変更する表示装置、当該表示装置の制御方法、プログラムおよびプログラムが記録されたコンピュータ読み取り可能な記録媒体に関する。
【背景技術】
【０００２】
ジャンルに応じた調整を行なう際に、特定のジャンルのコンテンツを表示し、そのジャンルについて画質を微調整してユーザに最適な映像にする画質調整方法がある。たとえば、特許文献１には、ジャンル別に画質パラメータが変更された頻度と、当該画質パラメータに関するユーザの満足度とを関連付けて予め記憶しておき、この満足度に応じてユーザにとって最適な映像にする画質調整方法が開示されている。【０００３】
また、ジャンルに応じて映像の画質を変化させる仕様において、番組の切り替わり等によってジャンルが変更される際、その切り替わり部分において画質が瞬時に変わってしまうと視聴上の違和感となる場合がある。そのため、このような違和感を回避するために、ジャンルが切り替わったとき、画質パラメータを徐々に変更していく方法もある。この動作は、たとえば、放送中のスポーツ番組が終わって映画が始まったとき、ユーザのチャンネル切り替えによってスポーツ番組から映画に切り替えたとき、または映画の放送中にコマーシャルに切り替わることによりジャンル検出が映画から他のジャンルの番組に切り替わったとき、などに行なわれることがある。
【先行技術文献】
【特許文献】
【０００４】
【特許文献１】日本国公開特許公報「特開２００４−２２８７８８号（２００４年８月１２日公開）」
【発明の概要】
【発明が解決しようとする課題】
【０００５】
しかしながら、上述のような画質パラメータを徐々に変更する技術では、ユーザが番組を視聴する際に以下の点において十分とはいえない。【０００６】
たとえば、ユーザがスポーツ番組を視聴中に、その後放送が開始する映画の画質パラメータの値を自分の好みに合うように調整したい場合、スポーツ番組が終了し、映画が開始すると同時に即座に画質パラメータの値を調整できることが望ましい。ところが、従来技術のように、表示中のコンテンツのジャンルが他のジャンルに切り替わった瞬間から、画質パラメータの値が徐々に変更される仕様では、ユーザが正確に画質パラメータの値を調整できない。【０００７】
つまり、スポーツ番組が終了して映画が開始するとき、表示装置では、映画に応じた画質に補正するために画質パラメータの値を徐々に変更させて補正している。このとき、ユーザが自ら画質パラメータの値を調整する場合には、表示中の画像を見ながら好みに合う画質に調整する。しかしながら、ジャンルの切り替え直後には、調整する基準となる画像の画質が切り替え後のジャンルにおいて予め設定された画質パラメータの値に達していない。このような状態でユーザが画質パラメータを調整してしまうと、予め設定された画質パラメータ値への変更が終了した時点で、ユーザの意図していた画質と異なる結果となってしまうことがある。そのため、ユーザが画質パラメータの値を正確に調整するためには、装置側での画質パラメータの変更が終了するのを待たなくてはならない。【０００８】
また、特許文献１において、コンテンツのジャンルに応じて画質パラメータ値の変更タイミングを可変することについては開示されていないが、画質調整における問題は、ユーザが自ら表示中のコンテンツのジャンルを異なるジャンルに切り替える場合にも起こり得る。【０００９】
本発明は、上記の課題に鑑みてなされたものであり、その目的は、ユーザの好みに適応した画質への調整をスムーズに行なうことができる表示装置を提供することにある。
【課題を解決するための手段】
【００１０】
本発明に係る表示装置は、上記の課題を解決するために、コンテンツを受信して表示する装置であって、上記コンテンツのジャンルが、複数の互いに異なる種類のジャンルのうちいずれであるかを特定するジャンル特定手段と、上記コンテンツを、特定された上記ジャンルに応じて予め設定されている、当該ジャンルに応じた画質を表す画質パラメータで補正してから表示するコンテンツ表示手段と、上記コンテンツの表示中に、上記複数のジャンルのうちいずれかのジャンルに応じた画質を表す画質パラメータの値を調整するための調整項目を表示する調整項目表示手段と、表示された上記調整項目に対するユーザによる入力に基づき、当該調整項目に対応する上記画質パラメータの値を調整するパラメータ値調整手段と、上記特定手段によって特定されるジャンルが、上記複数のジャンルのうちいずれかのジャンルから、当該ジャンルとは異なる他のジャンルに切り替わったとき、上記コンテンツ表示手段が上記コンテンツを補正する際に用いる上記画質パラメータの値を、切り替わる前のジャンルに対応付けて設定されている値から、切り替わった後のジャンルに対応付けて予め設定されている値に変更するパラメータ値変更手段とを備え、上記パラメータ値変更手段は、上記調整項目の表示の有無に応じて異なる時間で、上記画質パラメータの値を変更することを特徴としている。【００１１】
本発明に係る制御方法は、上記の課題を解決するために、コンテンツを受信して表示する装置の制御方法であって、上記コンテンツのジャンルが、複数の互いに異なる種類のジャンルのうちいずれであるかを特定するジャンル特定ステップと、上記コンテンツを、上記ジャンル特定ステップにおいて特定された上記ジャンルに応じて予め設定されている、当該ジャンルに応じた画質を表す画質パラメータで補正してから表示するコンテンツ表示ステップと、上記コンテンツ表示ステップにおいて上記コンテンツの表示中に、上記複数のジャンルのうちいずれかのジャンルに応じた画質を表す画質パラメータの値を調整するための調整項目を表示する調整項目表示ステップと、上記調整項目表示ステップにおいて表示された上記調整項目に対するユーザによる入力に基づき、当該調整項目に対応する上記画質パラメータの値を調整するパラメータ値調整ステップと、上記特定ステップにおいて特定されるジャンルが、上記複数のジャンルのうちいずれかのジャンルから、当該ジャンルとは異なる他のジャンルに切り替わったとき、上記コンテンツ表示ステップにおいて上記コンテンツを補正する際に用いる上記画質パラメータの値を、切り替わる前のジャンルに対応付けて設定されている値から、切り替わった後のジャンルに対応付けて予め設定されている値に変更するパラメータ値変更ステップとを包含し、上記パラメータ値変更ステップでは、上記調整項目の表示の有無に応じて異なる時間で、上記画質パラメータの値を変更することを特徴としている。【００１２】
上記の構成によれば、本発明では、受信したコンテンツを、予め設定された画質パラメータの値で補正してから表示する。具体的には、まず、受信したコンテンツのジャンルが複数の互いに異なる種類のジャンルのうちいずれであるかを特定する。また、これら複数の異なる種類のジャンルには、予めそれぞれ画質パラメータの値が設定されている。そのため、表示中のコンテンツのジャンルが切り替わるとき、切り替わる前のジャンルに対応付けて設定された画質パラメータの値から、切り替わった後のジャンルに対応付けて設定された画質パラメータの値に変更する。表示装置では、表示中のコンテンツのジャンルが切り替わる度に、変更された画質パラメータで補正してから表示する。【００１３】
また、コンテンツの表示中に、複数のジャンルのうちいずれかのジャンルに応じた画質を表す画質パラメータの値を調整するための調整項目を表示することができる。表示装置では、この表示された調整項目に対するユーザによる入力に基づき、当該調整項目に対応する画質パラメータの値を調整し得る。【００１４】
すなわち、ユーザが複数のジャンルのうちいずれかのジャンルに応じた画質パラメータを任意で調整することを望むとき、上記の調整項目を表示させることにより、コンテンツが自分の好みにあった画質に補正されるように画質パラメータを調整することができる。【００１５】
また、受信したコンテンツのジャンルが、当該ジャンルとは異なる他のジャンルに切り替わったとき、調整項目の表示の有無に応じて異なる時間で画質パラメータの値を変更することができる。【００１６】
たとえば、ユーザが放送されている番組を通常視聴しており、調整項目を表示させていない場合、ユーザによる任意の画質パラメータの調整は受付けていない。そのため、表示中のコンテンツのジャンルが異なる他のジャンルに切り替わったときには、当該他のジャンルに対応付けて予め設定されている画質パラメータの値へ段階的に変更する。これにより、ジャンルの種類が切り替わる度に、切り替わった後のジャンルに対応する画質パラメータの値に変更されても、変更された値で補正した後表示されるコンテンツの画質は急激に変化しない。よって、ユーザの視聴上の違和感を回避することができる。【００１７】
一方、たとえばユーザが特定のジャンルの画質パラメータを任意の値に調整するために調整項目を表示させている場合、表示中のコンテンツのジャンルが異なる他のジャンルに切り替わったときには、当該他のジャンルに対応付けて予め設定されている画質パラメータの値へ即座に変更する。これにより、表示中のコンテンツのジャンルがユーザにより選択された特定のジャンルに切り替わったとき、ユーザは即座に自分の好みに合った画質になるよう画質パラメータを調整することができる。このように、本発明の表示装置によれば、ユーザの好みに適応した画質への調整をスムーズに行なうことができる。
【発明の効果】
【００１８】
本発明は、コンテンツを受信して表示する装置であって、上記コンテンツのジャンルが、複数の互いに異なる種類のジャンルのうちいずれであるかを特定するジャンル特定手段と、上記コンテンツを、特定された上記ジャンルに応じて予め設定されている、当該ジャンルに応じた画質を表す画質パラメータで補正してから表示するコンテンツ表示手段と、上記コンテンツの表示中に、上記複数のジャンルのうちいずれかのジャンルに応じた画質を表す画質パラメータの値を調整するための調整項目を表示する調整項目表示手段と、表示された上記調整項目に対するユーザによる入力に基づき、当該調整項目に対応する上記画質パラメータの値を調整するパラメータ値調整手段と、上記特定手段によって特定されるジャンルが、上記複数のジャンルのうちいずれかのジャンルから、当該ジャンルとは異なる他のジャンルに切り替わったとき、上記コンテンツ表示手段が上記コンテンツを補正する際に用いる上記画質パラメータの値を、切り替わる前のジャンルに対応付けて設定されている値から、切り替わった後のジャンルに対応付けて予め設定されている値に変更するパラメータ値変更手段とを備え、上記パラメータ値変更手段は、上記調整項目の表示の有無に応じて異なる時間で、上記画質パラメータの値を変更するため、ユーザの好みに適応した画質への調整をスムーズに行なうことができる。
【図面の簡単な説明】
【００１９】
【図１】本発明に係る表示装置の一実施形態の構成を模式的に示すブロック図である。
【図２】本発明に係る表示装置の一実施形態における画質パラメータ値の変化を示すグラフである。
【図３】本発明に係る表示装置の一実施形態における画面の一例を示す図である。
【図４】本発明に係る表示装置の一実施形態における画面の一例を示す図である。
【図５】図３に示す画面の他の表示例を示す図である。
【発明を実施するための形態】
【００２０】
以下、本発明の実施の形態について、図１〜５を参照して詳細に説明する。なお、以下の説明では本発明を実施するために好ましい種々の限定が付与されているが、本発明の技術的範囲は以下の実施の形態および図面の記載に限定されるものではない。
【００２１】
〔テレビジョン受像機１０の概要〕
まず、図１を参照して本実施形態に係るテレビジョン受像機（表示装置）１０の主な構成について説明する。図１は、テレビジョン受像機１０の構成を模式的に示すブロック図である。
【００２２】
図１に示すように、テレビジョン受像機１０は、ＣＰＵ６、メモリ（記憶手段）７、バス８、アナログチューナー部１２、ＡＶスイッチ部１３、デジタルチューナー部１４、デジタル復調部１５、分離部（ＤＭＵＸ）１６、ビデオデコード／キャプチャ部１７、ビデオセレクタ部１８、映像処理部（コンテンツ表示手段）１９、加算回路２０、表示制御部（調整項目表示手段、説明情報表示手段）２１、液晶表示部２２、ＩＰ放送チューナー部２３、ＥＰＧ／ＯＳＤ／予約処理部２４、オーディオデコード部２５、オーディオセレクタ部２６、音声出力変換部２７、スピーカ２８、外部入力部３１、記録／再生部３２、選局部３３、通信制御部３４、リモコン受光部３５、ＯＰＣセンサ３８、パラメータ値調整部（パラメータ値調整手段）４１、パラメータ値変更部（パラメータ値変更手段）４２、およびジャンル特定部（ジャンル特定手段）４３を備えている。
【００２３】
テレビジョン受像機１０は、受信したコンテンツを、当該コンテンツのジャンルに応じて画質を補正してから表示する装置である。具体的には、まず受信したコンテンツのジャンルを特定し、特定したジャンルに応じて予め設定されている画質パラメータ値で補正したコンテンツを表示する。その後、表示中のコンテンツのジャンルが当該コンテンツとは異なる他のジャンルに切り替わると、コンテンツを補正する際に用いる画質パラメータ値を他のジャンルに応じて予め設定されている値に変更する。
【００２４】
このとき、テレビジョン受像機１０では、ユーザによる画質パラメータ値の調整を受付ける設定にされているか否かによって、ジャンルが切り替わる際の画質パラメータ値の変更方法、具体的には画質パラメータ値の変更時間を変える。
【００２５】
たとえば、ユーザにより任意に画質パラメータ値の調整を受付ける設定である場合、表示中のコンテンツのジャンルが切り替わるとき、切り替え前後のジャンルに応じた画質パラメータ値の変更は即座に行なわれる。これに対し、上述の調整を受付けていない設定である場合、表示中のコンテンツのジャンルが切り替わるとき、切り替え前後のジャンルに応じた画質パラメータ値の変更は段階的に行なわれる。画質パラメータ値をこのように変更することにより、ユーザのニーズに合った画質調整を行なうことができる。なお、テレビジョン受像機１０における画質調整の詳細は後述する。
【００２６】
〔テレビジョン受像機１０の構成〕
本実施形態に係るテレビジョン受像機１０は、アナログチューナー部１２およびデジタルチューナー部１４を備え、アナログ放送受信用のアンテナ１１またはデジタル放送受信用のアンテナ４０を介してアナログ放送およびデジタル放送を受信可能である。また、外部入力部３１には、ＨＤＤもしくはＳＤカード等の固体メモリ、またはＢＤ（ブルーレイディスク）、ＤＶＤもしくはＣＤ等のディスク装置等、種々の外部機器３０と接続可能であり、テレビジョン受像機１０の本体内にもＢＤ／ＤＶＤ／ＣＤの記録／再生部３２が内蔵されている。さらに、ＩＰ放送チューナー部２３が備えられており、ＩＰ放送の受信も可能である。
【００２７】
ＣＰＵ（Ｃｅｎｔｒａｌ  Ｐｒｏｃｅｓｓｉｎｇ  Ｕｎｉｔ）６は、バス８に接続され、テレビジョン受像機１０の各種動作を制御する。
【００２８】
メモリ７は、複数の互いに異なる種類のジャンルのそれぞれと、画質パラメータの値とを対応付けて記憶している。また、メモリ７はバス８に接続され、他にも各種の制御プログラムを記憶している。そのため、ＣＰＵ６はメモリ７に記憶された制御プログラムによってテレビジョン受像機１０の動作を制御してもよい。すなわち、本実施形態のテレビジョン受像機１０は、ＣＰＵ６を含むコンピュータ・システムによって制御されており、テレビジョン受像機１０をコンピュータ・システムによって動作させるためのプログラムは、メモリ７に記憶されている。
【００２９】
また、メモリ７は、通常ＲＡＭ（Ｒａｎｄｏｍ  Ａｃｃｅｓｓ  Ｍｅｍｏｒｙ）によって構成されるが、一部にＲＯＭ（Ｒｅａｄ  Ｏｎｌｙ  Ｍｅｍｏｒｙ）を含んでいてもよく、書き換え可能なフラッシュメモリ等を含んでいてもよい。メモリ７には、たとえばＣＰＵ６を動作させるためのＯＳ（オペレーティング・システム）または各種の制御ソフト等が記憶され、放送波を介して受信したＥＰＧ（電子番組表；Ｅｌｅｃｔｒｏｎｉｃ  Ｐｒｏｇｒａｍ  Ｇｕｉｄｅ）データ等の番組情報に関するデータ、またはＯＳＤ（オン・スクリーン・ディスプレイ）表示を行なう際に必要となるＯＳＤ用画像データ等が記憶されていてもよい。また、メモリ７は、各種制御動作に必要なワークメモリとして働くワーク領域を有している。
【００３０】
アナログチューナー部１２は、アナログ放送受信用のアンテナ１１を介して受信するアナログテレビ放送信号を、選局部３３からの選局指示に応じて選局する。アナログチューナー部１２からの受信信号は、ＡＶスイッチ部１３において音声信号と映像信号とに分離される。また、分離された映像信号はビデオセレクタ部１８に入力され、音声信号はオーディオセレクタ部２６に入力される。
【００３１】
デジタルチューナー部１４は、デジタル放送受信用アンテナ４０を介して受信するデジタルテレビ放送信号を、選局部３３からの選局指示に応じて選局する。デジタルチューナー部１４からの受信信号は、デジタル復調部１５にて復調され、分離部（ＤＭＵＸ）１６に送られる。
【００３２】
ＩＰ放送チューナー部２３は、電話回線・ＬＡＮ等に接続された通信制御部３４を介して受信するＩＰ放送を、選局部３３からの選局指示に応じて選局する。また、選局した特定のＩＰ放送を出力し、分離部（ＤＭＵＸ）１６に送る。
【００３３】
外部入力部３１は、ＨＤＤもしくはＳＤカード等の固体メモリ、またはＢＤ、ＤＶＤもしくはＣＤ等のディスク装置等、種々の外部機器３０と接続され、外部機器３０からコンテンツが入力される。また、記録／再生部３２は、ＢＤ、ＤＶＤまたはＣＤ等のディスク装置からコンテンツを受信する。
【００３４】
通信制御部３４は、電話回線、ＬＡＮ、およびインターネット等のネットワーク網を介して通信を確立させるように制御を行なう。
【００３５】
リモコン受光部３５は、リモートコントローラ（以下、リモコンという）３６からの光信号を受信して、リモコン３６からの制御信号を受付ける。なお、ユーザにより入力される各種の設定は、リモコン３６を介して行なわれる。
【００３６】
分離部（ＤＭＵＸ）１６は、デジタル復調部１５またはＩＰ放送チューナー部２３から入力され、多重化された映像データおよび音声データを分離する。また、分離した映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。なお、分離部（ＤＭＵＸ）１６によって抽出された放送信号は、必要に応じてＣＰＵ６による書き込み制御によってメモリ７に記憶される。
【００３７】
ビデオデコード／キャプチャ部１７は、分離部（ＤＭＵＸ）１６によって分離された映像データをデコードしたり、映像データに含まれるビデオ情報を静止画としてキャプチャしたりする。ビデオデコード／キャプチャ部１７によってデコードされた映像信号は、ビデオセレクタ部１８に送られる。
【００３８】
ビデオデコード／キャプチャ部１７は、分離部（ＤＭＵＸ）１６によって分離された映像データをデコードしたり、映像データに含まれるビデオ情報を静止画としてキャプチャしたりする。ビデオデコード／キャプチャ部１７によってデコードされた映像信号は、ビデオセレクタ部１８に送られる。
【００３９】
ビデオセレクタ部１８には、上述したようにアナログチューナー部１２からの映像信号が入力されるとともに、外部入力部３１からの映像信号も入力されている。ビデオセレクタ部１８は、ＣＰＵ６から制御信号を受付けると、これら入力映像信号のうち１つの映像信号を選択して出力し、映像処理部１９に送る。
【００４０】
ジャンル特定部４３は、表示中のコンテンツのジャンルを特定する。具体的には、映像処理部１９に送られた映像信号からジャンル情報を抽出し、そのコンテンツのジャンルが、複数の互いに異なる種類のジャンルのうちいずれであるかを特定する。ジャンル特定部４３は、分離部１６、外部入力部３１、記録／再生部３２のいずれかにおいてコンテンツを受信したときに、当該コンテンツのジャンルを特定する。
【００４１】
パラメータ値変更部４２は、特定されたジャンルが、当該ジャンルと異なる他のジャンルに切り替わったとき、コンテンツの補正に用いられる画質パラメータ値を変更する。つまり、パラメータ値変更部４２は、特定されたジャンルが他のジャンルに切り替わると、切り替わる前のジャンルに対応付けられた画質パラメータの値から、切り替わった後のジャンルに対応付けられた画質パラメータの値に変更する。なお、パラメータ値変更部４２による画質パラメータ値の変更の詳細については後述する。
【００４２】
映像処理部１９は、ビデオセレクタ部１８から送られた映像信号に対して補正を施す。具体的には、表示するコンテンツを、ジャンル特定部４３において特定されたジャンルに対応付けて予め設定された画質パラメータの値で補正する。また、映像処理部１９は、特定されたジャンルが他のジャンルに切り替わると、パラメータ値変更部４２から変更された画質パラメータの値を受け取り、この値でコンテンツを補正する。
【００４３】
ＥＰＧ／ＯＳＤ／予約処理部２４は、メモリ７に予め保存されているＥＰＧデータまたはＯＳＤデータを描画する。本実施形態においてＯＳＤデータには、画質パラメータの値を調整するための調整項目を含めばよい。また、他にも、たとえばメモリ７に記憶された設定メニュー画面、音量ケージ、現在時刻、選局チャンネル等の各種情報を描画するためのデータを含んでいてもよい。また、ＥＰＧ／ＯＳＤ／予約処理部２４は、定期的に更新保存されたＥＰＧデータに基づき、電子番組表を作成してもよく、ユーザによる予約処理を受付けるための情報を作成してもよい。
【００４４】
表示制御部２１は、映像処理部１９において補正されたコンテンツを、液晶表示部２２に出力する。また、表示制御部２１では、映像処理部１９から送られた映像データに加え、加算回路２０によって加算されたＥＰＧ／ＯＳＤ／予約処理部２４からのＥＰＧデータまたはＯＳＤデータを映像データに重ね合わせて液晶表示部２２に送る。
【００４５】
パラメータ値調整部４１は、リモコン受光部３５を介して受付けたユーザの入力に基づき、画質パラメータの値を調整する。すなわち、調整項目の表示中に、ユーザによる当該調整項目に対応する画質パラメータの値を調整するための入力を受付けると、この入力に基づき調整する。この調整としては、たとえば入力された映像信号に対する、ノイズリダクションの処理、シャープネスの調整、コントラストの調整等の映像処理が挙げられる。
【００４６】
液晶表示部２２は、表示制御部２１から送られた映像データ、およびＥＰＧデータまたはＯＳＤデータを画面上に表示する。なお、本実施形態では表示部として液晶ディスプレイを用いているが、これに限定されるものではなく、たとえばプラズマディスプレイまたはＥＬ（エレクトロルミネセンス）ディスプレイなどの他のディスプレイを用いてもよい。
【００４７】
オーディオデコード部２５は、分離部（ＤＭＵＸ）１６によって分離された音声データをデコードする。オーディオデコード部２５は、デコードした音声信号をオーディオセレクタ部２６に送る。
【００４８】
オーディオセレクタ部２６は、ＡＶスイッチ部１３からの音声信号、外部入力部３１からの音声信号、およびオーディオデコード部２５からの音声信号を受け、ＣＰＵ６からの制御によってビデオセレクタ部１８において選択された映像信号に対応した音声信号を選択し、音声出力変換部２７を介して音声信号をスピーカ２８に送る。
【００４９】
音声出力変換部２７は、受信した音声信号をスピーカ２８での再生に最適な信号に変換して、スピーカ２８に供給する。
【００５０】
ＯＰＣセンサ３８は、周囲の明るさを検出する。ＯＰＣセンサ３８としては、たとえばローパスフィルタを含む照度センサであることがより好ましい。これにより、たとえば人がセンサの前を通過するなどの一時的な変化を緩和して、照度を平滑に取得することができる。
【００５１】
〔ジャンルに応じた画質パラメータの変更〕
上述したように、本実施形態に係るテレビジョン受像機１０は、コンテンツを受信すると、当該コンテンツのジャンルに応じて画質を補正してから表示する。ここで、ジャンルとは、コンテンツに関連づけられたコンテンツの特徴を表しており、たとえば「ニュース／報道」、「情報／ワイドショー」、「バラエティー」、「映画」、「スポーツ番組」等の複数のジャンルを含む。
【００５２】
また、テレビジョン受像機１０では、これら複数の異なる種類のジャンルそれぞれに対して、コンテンツを補正する際に用いる画質パラメータの値が予め設定されている。そのため、ジャンル特定部４３が受信したコンテンツのジャンルがこれら複数の異なる種類のジャンルのうちいずれであるかを特定すると、特定したジャンルに応じてコンテンツを補正する。
【００５３】
その後、表示中のコンテンツのジャンルが当該コンテンツとは異なる他のジャンルに切り替わると、コンテンツを補正する際に用いる画質パラメータ値を、切り替わる前のジャンルに応じて予め設定された値から、切り替わった後のジャンルに応じて予め設定されている値に変更する。すなわち、ジャンル特定部４３が表示中のコンテンツのジャンルが切り替わったことを検出すると、切り替わった後のジャンルに応じた画質パラメータ値に変更する。
【００５４】
このとき、ユーザによる画質パラメータ値の調整を受付ける設定がなされていない、すなわち調整項目が表示されていないときは、上述の画質パラメータの値を切り替える前のジャンルに応じて予め設定された値から、切り替わった後のジャンルに応じて予め設定されている値に段階的に変更する。これにより、ジャンルの種類が切り替わる度に、切り替わった後のジャンルに対応する画質パラメータの値に変更されても、変更された値で補正されてから表示されるコンテンツの画質は急激に変化しない。よって、ユーザの視聴上の違和感を回避することができる。
【００５５】
一方、ユーザによる画質パラメータ値の調整を受付ける設定がなされている、すなわち調整項目が表示されているときは、上述の画質パラメータの値を切り替える前のジャンルに応じて予め設定された値から、切り替わった後のジャンルに応じて予め設定されている値に即座に変更する。これにより、表示中のコンテンツのジャンルがユーザにより選択された特定のジャンルに切り替わったとき、ユーザは即座に自分の好みに合った画質になるよう画質パラメータを調整することができる。
【００５６】
たとえば、ユーザが「スポーツ番組」のジャンルのコンテンツを視聴しているとき、特に画質パラメータの値を調整する意図がなく、画質パラメータを調整するための調整項目を表示させていない。この場合、視聴中の「スポーツ番組」が終了し、「映画」というジャンルのコンテンツが開始するときには、当該コンテンツの画質パラメータを、「スポーツ番組」に対応付けて設定されている値から「映画」に対応付けて予め設定されている値に、図２の（ａ）に示すように段階的に変更する（図２の（ａ）中、「ｔ」で示す区間）。図２は、本実施形態のテレビジョン受像機１０における画質パラメータ値の変化を示すグラフである。その後、映像処理部１９は段階的に変更される画質パラメータの値に従ってコンテンツを補正するため、ジャンル切り替え前後においてコンテンツの画質は急激に変化することはない。よって、ユーザの視聴上の違和感を回避することができる。
【００５７】
ここで、画質パラメータ値の段階的な変更方法は、従来公知の画質パラメータ値の変更方法を用いて行なえばよく、たとえば、図２の（ａ）に示すグラフのように、切り替え前のジャンルに対応付けて予め設定された画質パラメータの値と、切り替え後のジャンルに対応付けて予め設定された画質パラメータの値とを直線で結び、当該直線上の任意の値であり、これらの中間値を含むような複数の値をとるように段階的に変更すればよい。
【００５８】
これに対し、ユーザが視聴している「スポーツ番組」が終了し、「映画」の放送が開始されるとき、「映画」の画質を自分の好みに合った画質パラメータの値に調整するために調整項目を表示させている。この場合、視聴中のコンテンツのジャンルが「スポーツ番組」から「映画」に切り替わるときには、当該コンテンツの画質パラメータを、「スポーツ番組」に対応付けて設定されている値から、「映画」に対応付けて予め設定されている値に、図２の（ｂ）に示すように即座に変更する。ここで、映像処理部１９は即座に変更される画質パラメータの値に従ってコンテンツを補正するため、ユーザは即座に自分の好みに合った画質になるよう画質パラメータを調整することができる。このように、テレビジョン受像機１０では、ユーザの好みに適応した画質への調整をスムーズに行なうことができる。
【００５９】
なお、調整項目の表示・非表示に応じた画質パラメータ値の切り替えは、あるジャンルが終了し、当該あるジャンルとは異なる他のジャンルが開始したときに限定されるものではなく、ユーザによるリモコン３６を介したチャンネル切り替え指示を受付けたときも同様に、調整項目の表示・非表示に応じて画質パラメータ値を切り替えればよい。
【００６０】
また、パラメータ値調整部４１は、表示中のコンテンツのジャンルと、調整項目によって画質パラメータの値が調整されるジャンルとが一致するとき、画質パラメータの値の調整を受付けることが好ましい。
【００６１】
すなわち、表示中のコンテンツのジャンルが調整項目に対応するジャンル、すなわちユーザによって選択された任意のジャンルと一致していないときには、ユーザによる画質パラメータの値の調整を受付けない。そのため、ユーザが画質パラメータの値を調整したい場合には、表示中のコンテンツのジャンルが選択された任意のジャンルと一致するまで待つか、または表示中のコンテンツを調整項目において選択したジャンルと一致するジャンルに切り替えればよい。このように、画質パラメータ値の調整対象となるジャンルが表示されていないときはユーザの調整を受付けないことにより、画質パラメータ値の誤調整を防ぐことができる。
【００６２】
また、たとえば、３−２プルダウン等により視聴中のコンテンツのジャンルが「映画」であることを検出するシステムを採用している場合、表示中のコンテンツのジャンルと、調整項目によって画質パラメータの値が調整されるジャンルとが一致するとき、画質パラメータの値の調整を受付けることがより好ましい。
【００６３】
つまり、視聴中のコンテンツのジャンルが「映画」であるときは３−２プルダウンであり、ＣＭに入ると３−２プルダウンではなくなるため、ジャンルが「映画」以外のものに切り替わったと判別される。この場合、上述と同様に、ジャンルが切り替わることによって画質パラメータの値が変更されてしまうので、たとえばユーザが「映画」を視聴中に自ら画質パラメータ値の調整を行なっている途中でＣＭに切り替わると、基準となる表示中のコンテンツの画質が調整対象となる「映画」の画質とは異なったパラメータ値となってしまう。そこで、ＣＭに切り替わる度に画質パラメータ値の変更がなされる仕様であっても、当該ＣＭと調整項目において選択したジャンルとが一致していないときには、ユーザによる画質パラメータ値の調整を受付けないような構成にすれば、画質パラメータ値の誤調整を防ぐことができる。
【００６４】
また、テレビジョン受像機１０では、表示中のコンテンツのジャンルと、調整項目に対応するジャンルとが異なるとき、表示制御部２１がそれぞれのジャンルが異なることを説明する説明情報を表示することが好ましい。
【００６５】
たとえば、図３に示す例では、画面２０１に表示中のコンテンツに対応するジャンルが「スポーツ番組」であり、調整項目に対応するジャンルが「映画」である。このとき、画面２０１上では、表示中のコンテンツに重ね合わせて、画面上の領域２０４に当該コンテンツのジャンルと調整しようとしているジャンルとが異なることを警告する警告文を表示している。図３は、本実施形態に係るテレビジョン受像機１０における画面の一例を示す図である。なお、図３に示す例では、領域２０２には表示中のコンテンツのジャンルが表示され、領域２０６には選択されたジャンルに対応する調整項目が表示されている。
【００６６】
その後、図４に示すように、表示中のコンテンツに対応するジャンルが「スポーツ番組」から「映画」に切り替わると、表示中のコンテンツのジャンルと調整項目のジャンルとは一致するため、ユーザによる調整を受付ける。図４は、本実施形態に係るテレビジョン受像機１０における画面の一例を示す図である。
【００６７】
これにより、一見して表示中のジャンルの種類が判別つかない場合でも、説明情報を表示することにより、ユーザにジャンルが切り替わらなければ正確に画質パラメータを調整できないことを認識させることができる。よって、誤調整を防ぐことができる。
【００６８】
なお、図３に示す例では、画面２０１の表示に重なるように警告文を表示しているが、当該警告文が画面２０１に重ならないように表示することができる。つまり、テレビジョン受像機１０は、画面２０１に表示されているコンテンツの画像を所定のアスペクト比で拡大および縮小させるスケーリング手段をさらに備える構成であってもよい。この場合、表示制御部２１は、当該スケーリング手段により画像が縮小されることによって生じたディスプレイ上の余白に警告文を表示することが好ましい。
【００６９】
図５は、図３に示す画面の他の表示例を示す図であり、具体的にはスケーリング手段によってコンテンツを表す画像、すなわち画面２０１が所定のアスペクト比（本実施形態では、１６：９）で縮小されて、ディスプレイ１０３上に余白が生じている状態を示している。このように画面２０１をスケーリングして、生じた余白に警告文を表示することによって、画面２０１を汚すことなく表示することができる。
【００７０】
〔テレビジョン受像機１０の動作〕
以下、本実施形態に係るテレビジョン受像機１０の動作の一例について説明する。ここでは、コンテンツのジャンル切り替え時に調整項目が表示されている場合について説明する。
【００７１】
まず、電源が入れられると、アナログチューナー部１２、デジタルチューナー部１４、外部入力部３１または記録／再生部３２のいずれかがコンテンツを受信する。次に、ジャンル特定部４３は、受信したコンテンツに対応するジャンルが複数の異なる種類のジャンルのうちいずれであるかを特定する。その結果、たとえば「スポーツ番組」というジャンルであることが特定されれば、映像処理部１９は、メモリ７に予め「スポーツ番組」のジャンルに対応付けて記憶された画質パラメータ値を用いて、コンテンツを補正する。このように補正されたコンテンツを液晶表示部２２において表示する。
【００７２】
次に、リモコン３６を介してユーザによる画質調整の指示を受付けると、表示制御部２１はコンテンツに重ね合わせて調整項目を表示する。このように表示された調整項目において、ユーザは画質調整をしたいジャンルを選択する。図３に示す例では、ユーザが選択したジャンルは「映画」であり、画面２０１に表示中の「スポーツ番組」の映像に重ね合わせて、「映画」に対応する調整項目を表示されている。
【００７３】
ここで、ユーザにより設定可能な調整項目として、色飽和度、シャープネス、ガンマを調整するための調整バーが表示されているが、画質を調整するためのパラメータはこれらに限定されるものではなく、たとえば輝度、黒レベル等の様々なパラメータを調整できるように構成してもよい。また、領域２０６に表示される調整項目の表示形態もこれに限定されるものではない。
【００７４】
この状態において、ユーザがリモコン３６を介して各パラメータを調整する指示を送った場合、表示中のコンテンツのジャンルと調整項目に対応するジャンルとは異なり、正確に画質パラメータを調整することができない。そこで、表示中のコンテンツのジャンルが、選択された調整項目に対応するジャンルと異なることを説明する説明文章を表示するようにしてもよい。図３では、コンテンツに重ね合わせるように、領域２０４に説明文章が表示されている。これにより、ユーザが異なるジャンルのコンテンツを表示中に、誤って画質パラメータを調整しようとした場合に、その作業を中断させることができる。
【００７５】
なお、表示中のコンテンツのジャンルと調整項目に対応するジャンルとが異なる場合、上述のように、これらのジャンルが異なることをユーザに対して警告する文章を表示してもよいが、たとえばユーザによるパラメータ調整の指示を受付けないように設定してもよいし、これらを組み合わせてもよい。
【００７６】
その後、表示中のコンテンツのジャンルが「スポーツ番組」から「映画」に切り替わると、パラメータ値変更部４２は、コンテンツを補正する際に用いる画質パラメータの値を、「スポーツ番組」に対応付けて設定されている値から、「映画」に対応付けて設定されている値に即座に変更する。よって、ユーザが表示中のコンテンツのジャンルが「映画」に切り替わったことを確認すると同時に、リモコン３６を介してパラメータ調整を指示しても、基準となる表示中のコンテンツは既に画質が変更されているので、当該コンテンツの画質を正確に調整することができる。
【００７７】
なお、本実施形態では、表示中のコンテンツのジャンルが切り替わる度に、切り替わった後のジャンルに対してユーザの画質パラメータ調整を受付ける例について説明したが、一度ユーザにより調整されたジャンルの画質パラメータ値をメモリ７に記憶させ、次回から自動的にユーザの好みに合った画質パラメータで表示させるように設定してもよい。この場合、表示中のコンテンツのジャンル切り替え時、調整項目が表示されていなければ、画質パラメータの値は段階的に変更される構成であればよい。
【００７８】
以上の説明では、特にテレビジョン受像機を例にして述べているが、この他にもテレビを視聴可能とした携帯機器、たとえば携帯電話、カーナビゲーションシステム、携帯ゲーム端末機等においてテレビを受信する場合にも、本願の発明に従った表示方法を適用できることは明らかである。
【００７９】
〔プログラムおよび記録媒体〕
最後に、テレビジョン受像機１０に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００８０】
すなわち、テレビジョン受像機１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、ならびに、上記プログラムおよび各種データを格納するメモリ等の記憶装置（記録媒体）を備えている。この構成により、本発明の目的は所定の記録媒体によっても達成できる。
【００８１】
この記録媒体は、上述した機能を実現するソフトウェアであるテレビジョン受像機１０のプログラムのプログラムコード（実行形式プログラム、中間コードプログラム、ソースプログラム）をコンピュータで読み取り可能に記録していればよい。テレビジョン受像機１０に、この記録媒体を供給する。これにより、コンピュータとしてのテレビジョン受像機１０（またはＣＰＵもしくはＭＰＵ）が、供給された記録媒体に記録されているプログラムコードを読み出し、実行すればよい。
【００８２】
プログラムコードをテレビジョン受像機１０に供給する記録媒体は、特定の構造または種類のものに限定されない。すなわち、この記録媒体は、たとえば磁気テープまたはカセットテープ等のテープ系、フロッピー（登録商標）ディスク／ハードディスク等の磁気ディスクまたはＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、もしくはマスクＲＯＭ／ＥＰＲＯＭ／ＥＥＰＲＯＭ／フラッシュＲＯＭ等の半導体メモリ系等とすることができる。
【００８３】
また、テレビジョン受像機１０を通信ネットワークと接続可能に構成しても、本発明の目的を達成できる。この場合、上記のプログラムコードを、通信ネットワークを介してテレビジョン受像機１０に供給する。この通信ネットワークはテレビジョン受像機１０にプログラムコードを供給できるものであればよく、特定の種類または形態に限定されない。たとえば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００８４】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８５】
また、本発明に係る表示装置において、上記パラメータ値変更手段は、上記調整項目の非表示中には、上記画質パラメータの値を段階的に変更すると共に、上記調整項目の表示中には、上記画質パラメータの値を即座に変更することが好ましい。
【００８６】
また、本発明に係る表示装置では、上記パラメータ値調整手段は、表示中の上記コンテンツのジャンルと、上記調整項目に対応するジャンルとが一致するとき、上記画質パラメータの値の調整を受付けることが好ましい。
【００８７】
上記の構成によれば、画質パラメータ値の調整対象である、調整項目に対応するジャンルが表示されていないときはユーザの調整を受付けないことにより、画質パラメータ値の誤調整を防ぐことができる。
【００８８】
また、本発明に係る表示装置は、表示中の上記コンテンツのジャンルと、上記調整項目に対応するジャンルとが異なるとき、それぞれの上記ジャンルが異なることを説明する説明情報を表示する説明情報表示手段をさらに備えることが好ましい。
【００８９】
上記の構成によれば、一見して表示中のジャンルの種類が判別つかない場合でも、説明情報を表示することにより、ユーザにジャンルが切り替わらなければ正確に画質パラメータを調整できないことを認識させることができる。よって、誤調整を防ぐことができる。
【００９０】
また、本発明に係る表示装置は、上記コンテンツを表す画像を所定のアスペクト比で拡大および縮小させるスケーリング手段をさらに備え、上記説明情報表示手段は、上記スケーリング手段により上記画像が縮小されることによって生じた画面上の余白に上記説明情報を表示することが好ましい。
【００９１】
また、本発明に係る表示装置では、上記複数のジャンルのそれぞれと、上記画質パラメータの値とを対応付けて記憶する記憶手段をさらに備えることが好ましい。
【００９２】
上記の構成によれば、表示中のジャンルが切り替わる度に変更する画質パラメータの値を設定しなくてよいので、処理が早い。
【００９３】
また、本発明に係る表示装置では、上記コンテンツ表示手段は、上記コンテンツを液晶ディスプレイ、プラズマディスプレイまたはＥＬ（エレクトロルミネセンス）ディスプレイに表示させることが好ましい。これにより、様々な種類の表示装置に対応することができる。
【００９４】
なお、本発明に係る表示装置は、コンピュータによって実現してもよい。この場合、コンピュータを上記各手段として動作させることにより表示装置をコンピュータにおいて実現するプログラム、およびそのプログラムを記録したコンピュータ読み取り可能な記録媒体も、本発明の範疇に入る。
【００９５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００９６】
本発明は、テレビジョン受像機等の表示装置として最適に利用することができる。
【符号の説明】
【００９７】
１０  テレビジョン受像機（表示装置）
１９  映像処理部（コンテンツ表示手段）
２１  表示制御部（調整項目表示手段、説明情報表示手段）
２２  液晶表示部
４１  パラメータ値調整部（パラメータ値調整手段）
４２  パラメータ値変更部（パラメータ値変更手段）
４３  ジャンル特定部（ジャンル特定手段）
【図１】
2011052589.tif 000003
【図２】
2011052589.tif 000004
【図３】
2011052589.tif 000005
【図４】
2011052589.tif 000006
【図５】
2011052589.tif 000007
【国際調査報告】
2011052589.tif 000008
2011052589.tif 000009